(57)【要約】【課題】簡単な構造で小型軽量であり、空調機器が設置されている場所に持ち込んで、周囲を汚すことなく、その場でフィルターの洗浄を行うことができる可搬式のフィルター洗浄装置を提供する。【解決手段】可搬式フィルター洗浄装置(A)は、内部に防水性材料で形成された側壁(22,23,24,25)で囲まれた洗浄空間部(26)を有し、上部側にはフィルターを洗浄空間部(26)へ縦方向に挿入できる挿入口(27)が形成された洗浄器具(2)と、洗浄器具(2)の洗浄空間部(26)に複数並設されており、噴射方向が斜め下方である噴水ノズル(3)と、洗浄器具(2)の下側に設けられており、排水部(40)を有する受水器(4)を備えている。【選択図】図４
2009291767.tif 000002
【特許請求の範囲】
【請求項１】
空調機器のフィルターを洗浄する可搬式のフィルター洗浄装置であって、
防水性材料で形成された側壁(22,23,24,25)で囲まれた洗浄空間部(26)を有し、上部にはフィルターを洗浄空間部(26)へ縦方向に挿入できる挿入口(27)が形成された洗浄部(2)と、
噴射方向が斜め下方であり、洗浄空間部(26)内に洗浄水を噴射することができる噴水ノズル(3)と、
洗浄部(2)の下側に設けられており、排水部(40)を有する受水器(4)と、
を備えている、
可搬式フィルター洗浄装置。
【請求項２】
受水器(4)の排水部(40)から外部へ排出される廃水を溜める廃水容器(6)を備えている、
請求項１記載の可搬式フィルター洗浄装置。
【請求項３】
噴水ノズル(3)の噴射角度を変える手段(31)を有し、噴射角度を変えることによりノズル先端からフィルターまでの距離を調節することができる、側
請求項１記載の可搬式フィルター洗浄装置。
【請求項４】
洗浄部(2)と受水器(4)を覆うカバー(5)を装着した、
請求項１記載の可搬式フィルター洗浄装置。
【請求項５】
外部に、洗浄したフィルターを縦に置くことができる水切り受具(55)を有し、水切り受具(55)に滴下する水を受水部(4)に誘導する導水部(56)を備えている、
請求項１記載の可搬式フィルター洗浄装置。
【発明の詳細な説明】
【技術分野】
【０００１】
本発明は、可搬式フィルター洗浄装置に関するものである。更に詳しくは、簡単な構造で小型軽量であり、空調機器が設置されている場所に持ち込んで、周囲を汚すことなく、その場でフィルターの洗浄を行うことができる可搬式のフィルター洗浄装置に関する。
【背景技術】
【０００２】
冷暖房装置等の空調機器に備えてあるフィルターは、定期的に洗浄する必要がある。従前より、フィルターを洗浄したり清掃するために様々な装置が使用されており、効果がより確実な回転ブラシを使用したものが広く使用されてきた。
しかしながら、フィルターの網体がブラシで擦られることによって、網体が破れることがあったために、近年では回転ブラシを使用せず、ノズルから噴射される水だけでフィルターを洗浄する装置も普及してきている。このようなフィルター洗浄装置としては、例えば特許文献１に開示されたものがある。
【０００３】
特許文献１に記載のフィルター洗浄装置は、フィルターを水平に保持した状態で正逆往復移送する移送手段と、フィルター移送路の上方に設置され、フィルターに向けて洗浄水を噴射する洗浄水噴射手段と、洗浄水噴射手段に洗浄水を供給する洗浄水供給手段と、洗浄水噴射手段をフィルターの移送方向に対して横切る方向に往復移動させて、洗浄水をフィルターに分散的に噴射する揺動機構と、洗浄後の洗浄排水を排出する洗浄排水排出手段とを備えており、構造が簡単で、広い範囲にわたって洗浄水を効率よく噴射できるというものである。
【０００４】
【特許文献１】特開平８−１８２９０７号
【発明の開示】
【発明が解決しようとする課題】
【０００５】
しかしながら、前記従来のフィルター洗浄装置には、次のような課題があった。
すなわち、移送手段や揺動機構を構成するために、駆動モーター、カム機構、クランク、ジョイント部材及び複数のプーリー等、多くの機構部品を備えており、簡単な構造であるとはいえない。また、その多くが金属部品であって、相当の重量を有している。
【０００６】
さらに、移送手段はフィルターを水平に保持した状態で正逆往復移送する構造であり、しかも移送されるフィルターがカバー内部にほぼ収まるようになっている。
このため、装置の幅が相当に大きく、前記機構的な問題とも相まって、装置が大型であり、重量も重くなっており、例えば事務所の室内等、空調機器が設置されている場所に持ち込んで作業を行うことは困難であり、可搬式のものとしての使用は実際上できない。
【０００７】
（本発明の目的）
本発明は、より簡単な構造で小型軽量であり、空調機器が設置されている場所に持ち込んで、周囲を汚すことなく、その場でフィルターの洗浄を行うことができる可搬式のフィルター洗浄装置を提供することを目的とする。
【課題を解決するための手段】
【０００８】
上記課題を解決するために本発明が講じた手段は次のとおりである。
【０００９】
本発明は、
空調機器のフィルターを洗浄する可搬式のフィルター洗浄装置であって、
防水性材料で形成された側壁で囲まれた洗浄空間部を有し、上部にはフィルターを洗浄空間部へ縦方向に挿入できる挿入口が形成された洗浄部と、
噴射方向が斜め下方であり、洗浄空間部(26)内に洗浄水を噴射することができる噴水ノズルと、
洗浄部の下側に設けられており、排水部を有する受水器と、
を備えている、可搬式フィルター洗浄装置である。
【００１０】
本発明に係る可搬式フィルター洗浄装置は、
受水器の排水部から外部へ排出される廃水を溜める廃水容器を備えることができる。
【００１１】
本発明に係る可搬式フィルター洗浄装置は、
噴水ノズルの噴射角度を変える手段を有し、噴射角度を変えることによりノズル先端からフィルターまでの距離を調節することができるのがより好ましい。
【００１２】
本発明に係る可搬式フィルター洗浄装置は、
洗浄部と受水器を覆うカバーを装着することができる。
【００１３】
本発明に係る可搬式フィルター洗浄装置は、
外部に、洗浄したフィルターを縦に置くことができる水切り受具を有し、水切り受具に滴下する水を受水部に誘導する導水部を備えているのがより好ましい。
【００１４】
（作用）
本発明に係る可搬式フィルター洗浄装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１５】
可搬式フィルター洗浄装置(A)は、フィルター(7)を洗浄部(2)の洗浄空間部(26)に挿入口(27)から縦方向に挿入して噴水によって洗浄するようになっており、装置の前後の厚みを薄く小型につくることができる。また、従来の装置とは相違して、例えばフィルター(7)を移送する機構部や洗浄水をフィルター(7)に分散して噴射する揺動機構等の可動部が設けられていない。
【００１６】
このように可搬式フィルター洗浄装置(A)は構造が極めて簡単であり、部品数も少なく軽量である。したがって、冷暖房機等の空調機器が設置されている場所（屋内、室内等）に容易に持ち込むことができる。なお、洗浄作業を行う場所は、屋内や室内に限るものではなく、屋外でもよい。
【００１７】
可搬式フィルター洗浄装置(A)を使用したフィルター(7)を洗浄する手順は次のとおりである。
まず噴水ノズル(3)に洗浄水を送ることができるように送水ホースを接続し、受水器(4)から排出される廃水を廃水容器(6)（合成樹脂製タンク等）に溜めることができるようにするか、下水に排出できるようにしておく。
【００１８】
次に、噴水ノズル(3)に洗浄水を送って洗浄水を洗浄部(2)の洗浄空間部(26)内で斜め下方へ噴射する。そして、汚れているフィルター(7)を作業者が手で持ち、洗浄空間部(26)に挿入口(27)から縦方向にゆっくり挿入し、最下部まで入れる。これにより、フィルター(7)の全体が洗浄される。フィルター(7)が十分に洗浄されていなければ、フィルター(7)を上下させる操作を手動で繰り返し行う。
【００１９】
また、長尺のフィルターを洗浄する場合は、フィルターを最下部まで下ろしても上部側に洗浄できない部分が生じる。この場合は、洗浄空間部(26)からフィルターを抜き取り、上下反転させて洗浄空間部(26)に挿入し、同様に上下させて洗浄する。
【００２０】
前記洗浄は、洗浄部(2)の側壁(22,23,24,25)で囲まれた洗浄空間部(26)内で行われるので、洗浄水の飛沫は洗浄部(2)の外部へ飛散することはない。なお、飛沫は噴水ノズル(3)による洗浄水の噴射方向が斜め下方であることによって、挿入口(27)側へは飛散しにくいので挿入口(27)から外部へ出ることも防止できる。これにより、洗浄水に塵埃が混じった飛沫によって作業場所の周囲（近辺）を汚すことを防止できる。
【００２１】
フィルター(7)を洗浄し塵埃が混じった洗浄水（廃水）は受水器(4)に入り、排水部(40)から外部へ排出される。廃水は廃水容器(6)に入れてもよいし、ポンプやホース等を使用して下水へ直接排出するようにしてもよい。このようにして、多数のフィルター(7)を順次洗浄することができる。
【発明の効果】
【００２２】
（ａ）本発明に係る可搬式フィルター洗浄装置は、フィルターを洗浄部の洗浄空間部に挿入口から縦方向に挿入して噴水によって洗浄するようになっており、装置の前後の厚みを薄く小型につくることができる。また、従来の装置とは相違して、例えばフィルターを移送する機構部や洗浄水をフィルターに分散的に噴射する揺動機構等の可動部が設けられていない。このように、可搬式フィルター洗浄装置は構造が極めて簡単であり、部品数も少なく軽量である。したがって、冷暖房機等の空調機器が設置されている場所、すなわち屋内や室内に持ち込むことができ、可搬式としての自由度が高い。
【００２３】
（ｂ）受水器の排水部から外部へ排出される廃水を溜める廃水容器を備えた可搬式フィルター洗浄装置は、下水へ直接排出するようにした場合と相違して、排出する場所の近くで作業をする必要がなく、作業する場所を選ばず自由度が高い。なお、多数の廃水容器を用意しておけば、近くに廃水を廃棄する場所がなくても対応できる。
【００２４】
（ｃ）噴水ノズルの噴射角度を変える手段を有し、噴射角度を変えることによりノズル先端からフィルターまでの距離を調節することができる可搬式フィルター洗浄装置は、ノズル先端からフィルターまでの距離を調節することにより、フィルターに対する水勢の調節ができるので、フィルターの汚れの程度や目の細かさの程度によって洗浄力を加減することができる。
【００２５】
（ｄ）洗浄部と受水器を覆うカバーを装着した可搬式フィルター洗浄装置は、カバーを装着することによって、洗浄水の飛沫が装置外部へ飛散して周囲を汚すことを、より確実に防止することができる。
【００２６】
（ｅ）外部に、洗浄したフィルターを縦に置くことができる水切り受具を有し、水切り受具に滴下する水を受水部に誘導する導水部を備えている可搬式フィルター洗浄装置は、洗浄したフィルターを水切り受具に所要時間置いておくことにより水切りができるので、例えば水切りするために屋外へ持ち出す手間がかからず、効率的な作業ができる。また、フィルターを持ち出す際に落ちる滴で周囲を汚すこともない。
【発明を実施するための最良の形態】
【００２７】
本発明を図に示した実施例に基づき詳細に説明する。
図１は本発明に係る可搬式フィルター洗浄装置の一実施例を示す斜視図、
図２は可搬式フィルター洗浄装置の内部構造を示しカバーを想像線で表した斜視説明図、
図３は可搬式フィルター洗浄装置の内部構造を示す斜視説明図、
図４は可搬式フィルター洗浄装置の縦断面説明図、
図５は可搬式フィルター洗浄装置の横断面説明図、
図６は噴水ノズルによる洗浄水の噴水形状を示し（ａ）は正面視説明図、（ｂ）は平面視説明図である。
なお、図１では廃水容器の図示を省略した。
【００２８】
可搬式フィルター洗浄装置Ａは、主に空調機器のフィルター７を洗浄するものである。可搬式フィルター洗浄装置Ａは、フレーム１と、フレーム１に設けられており、フィルター７を洗浄する洗浄部である洗浄器具２と、洗浄器具２の上部近傍に設けられている噴水ノズル３と、洗浄器具２の下側に設けられている受水器４と、洗浄器具２と受水器４を覆うカバー５及び受水器４から排出された廃水を溜める廃水容器６を備えている。なお、廃水容器６は必要に応じて使用されるもので、前記したように廃水容器６を使用せず、廃水を直接下水等に排出するようにしてもよい。
【００２９】
フレーム１は金属製のパイプを組んで形成されている。長方形状に組まれ水平な台枠１０の長手方向両端には、脚部１１、１２が下方へ向けて設けられている。脚部１１、１２の下端にはそれぞれ二箇所には移動用のキャスター１３が取り付けられている。
【００３０】
台枠１０の長手方向両端には、支柱部１４、１５が立設されている。支柱部１４、１５の上端には、長方形状に組まれた上枠１６が水平に架け渡されて固定されている。上枠１６の長手方向両端には、外側へ向けて水平にコ字状のハンドル１７が固着されている。各ハンドル１７は、カバー５を装着したときにカバー５を貫通し外部へ突出するようになっている。                              
【００３１】
上枠１６を構成する一方の長部材１６０には、通水管３０が二箇所に設けられた締付固定具３１によって長部材１６０と平行かつ水平に固定されている。締付固定具３１は、斜めに設けた受板３１０にＵボルト３１１を装着し、受板３１０を貫通したＵボルト３１１の一端部のネジ部にナット３１２を螺合し、ナット３１２を締めることにより受板３１０とＵボルト３１１で通水管３０を締め付けて固定する構造である。
【００３２】
通水管３０は、ナット３１２を緩めて受板３１０とＵボルト３１１による通水管３０の締め付けを解除すると、軸周方向に回転させることができる。この構造によれば、後述するように通水管３０に取り付けられる噴水ノズル３の噴射角度は適宜変えることができる。
【００３３】
通水管３０の長手方向中間の下側には柔軟性を有する給水管３２が接続されている。給水管３２の先端には接続端具３３が取り付けられている。接続端具３３には、後述するように送水ホース３４の接続端具３５が接続される。給水管３２の接続端具３３は、図１に示すようにカバー５を装着したときにカバー５の壁部を貫通した孔に固着され、外部へ突出するようになっている。
【００３４】
通水管３０には、長手方向に等間隔で六箇所に噴水ノズル３が設けられている。各噴水ノズル３は、噴射方向が斜め下方であり（図４参照）、各噴水ノズル３は噴射角度が同じになるようにしてある。各噴水ノズル３は、後述する洗浄器具２の挿入口２７の外部近傍に設けられており、洗浄空間部２６内へ洗浄水を噴射することができる。なお、各噴水ノズル３を洗浄空間部２６内部に設けることもできる。
【００３５】
また、前記したように通水管３０は締付固定具３１を緩めることで軸周方向の角度が変えられるので、各噴水ノズル３はフィルター７に対する噴射角度を変えることができる。噴射角度を変えることにより、噴水ノズル３先端からフィルター７までの距離を調節することができ、フィルター７の汚れの程度や目の細かさの程度によってフィルター７に対する洗浄水の水勢を加減することができる。
【００３６】
ここで、噴水ノズル３による洗浄水の噴水形状を図６を参照して説明する。
図６においては噴水３００の形状を破線で表している。噴水３００の形状は、図６（ａ）に示すように、噴水ノズル３を噴射方向側から視ると（正面視で）細長い形状であり、しかも噴水ノズル３の軸周方向における角度を同じ方向へややずらしてあり、各噴水３００の形状が平行になって互いに干渉しないようになっている。
【００３７】
また、図６（ｂ）に示すように、噴水ノズル３を噴射方向と交差する方向側から視れば（平面視で）、噴水３００の形状は直線的に末広がりになっている。なお、前記のように噴水ノズル３先端からフィルター７までの距離を調節する場合、フィルター７において前記噴水３００同士が当たらずに洗浄が十分にできない部分が生じることがないように、フィルター７を図６（ｂ）に示した距離より近付けないように調節する。
【００３８】
前記フレーム１の台枠１０の上部には、受水器４が水平に固定されている。受水器４は台枠１０とほぼ同じ大きさの平面視長方形状であり、所要の深さを有している。受水器４の中央には、受水器４に入った廃水を外部へ排出する排水管４０が底部４１を貫通して形成されている（図４参照）。
【００３９】
受水器４の底部４１と前記上枠１６の間には、洗浄器具２が形成されている。洗浄器具２は受水器４の底部４１と上枠１６の間に、前後方向（図４で左右方向）に所要間隔をおいて平行に固定されている器枠２０、２１を備えている。器枠２０、２１は、それぞれ四角形状に枠組みされており、一方側の器枠２０は器枠２１より高さがやや低くなるように形成されている。前記各噴水ノズル３は、この低い側の器枠２０の上方に設けられており、後方の側壁２３へ向けて洗浄水を噴射する（図４参照）。
【００４０】
器枠２０、２１の前後方向の外面側及び左右方向（図５で上下方向）の外面側には、それぞれ側壁２２、２３及び側壁２４、２５が張設されており、これにより側壁２２、２３、２４、２５で囲まれた洗浄空間部２６が形成されている。洗浄空間部２６の上部側にはフィルター７を洗浄空間部２６へ縦方向に挿入できる挿入口２７が形成されている。
【００４１】
側壁２２、２３、２４、２５は、防水性を有する合成樹脂板で形成され、それぞれが器枠２０、２１に固定されており、互いにほぼ水密になるよう端辺部が接合されている。また、側壁２２、２３、２４、２５の下端は、受水器４の底部４１より上方に位置している。
【００４２】
フレーム１の台枠１０の側部には、洗浄器具２と受水器４を覆うカバー５が取付用ボルト５０（図４に図示：図１〜図３、図５、図７では図示省略）によって固定されている。カバー５を装着することによって、洗浄水の飛沫が仮に洗浄器具２から外部へ飛散しても、装置外部へ漏れることを防止することができる。なお、本実施の形態では、洗浄器具２が十分な防水機能を備えているので、カバー５は、防水性というよりむしろ意匠的な部分を優先するものであり、薄肉のステンレススチール板（0.5mm厚）で美麗に仕上げてあると共に軽量化が図られている。
【００４３】
カバー５の上部側には、前後側に分かれて開閉できる上蓋５１、５２が回動自在に設けられている。上蓋５１、５２を閉じたときに形成される開口部５３は、フィルター７を挿入できる形状を有しており、前記洗浄器具２の挿入口２７の上方に位置している。
【００４４】
カバー５の前壁５４の下部側には、水切り受具５５が設けられている。水切り受具５５は底部５５０と前板５５１で構成されており、複数枚のフィルター７を縦にして立て掛けることができる。底部５５０は上面が両端側から中央へ向け下り傾斜している。
前壁５４には、底部５５０の最低部に対応する位置に導水管５６が貫通して設けられている。この構造によれば、フィルター７から底部５５０上面に滴下した滴は、底部５５０の中央に集まり、導水管５６によって前記受水器４へ入り、廃水と共に外部へ排出される。
【００４５】
なお、前記廃水容器６は、受水器４の排水管４０から外部へ排出される廃水を溜める容器であり、受水器４の下方に配されている。本実施の形態では、市販されている容量が２０リットルの合成樹脂製タンクを使用している。また、本実施の形態では、廃水がこぼれないように排水管４０にホース４２を接続してその先部を廃水容器６の入れ口６０に入れているが、排水管４０と入れ口６０の位置を合わせれば、ホース４２は必ずしも必要ない。
【００４６】
（作用）
図７は可搬式フィルター洗浄装置の使用方法を示す説明図である。
図１ないし図７を参照して可搬式フィルター洗浄装置の使用方法及び作用を説明する。
【００４７】
可搬式フィルター洗浄装置Ａは、フィルター７を洗浄器具２の洗浄空間部２６に挿入口２７から縦方向に挿入して噴水によって洗浄するようになっており、装置の前後の厚みを薄く小型につくることができる。また、従来の装置とは相違して、例えばフィルターを移送する機構部や洗浄水をフィルターに分散的に噴射する揺動機構等の可動部が設けられていない。このように、可搬式フィルター洗浄装置Ａは構造が極めて簡単であり、部品数も少なく軽量である。したがって、冷暖房機等の空調機器が設置されている場所（屋内、室内等）に持ち込むことができる。
【００４８】
可搬式フィルター洗浄装置Ａを使用して、空調機器のフィルター（エアフィルター）７を洗浄する手順は次のとおりである。
まず、各噴水ノズル３に洗浄水を送ることができるように、接続端具３３に送水ホース３４の接続端具３５を接続する。これにより、給水管３２から噴水ノズル３が設けられている通水管３０へ洗浄水を送ることができる。廃水容器６は、図４、図７に示すように受水器４の下側に配される。
【００４９】
次に、各噴水ノズル３に洗浄水を送り、洗浄水を洗浄器具２の洗浄空間部２６内へ向け斜め下方へ噴射する。そして、汚れているフィルター７を作業者が手で持ち、フィルター７をカバー５の開口部５３から入れ、さらに挿入口２７から洗浄空間部２６内に縦方向にゆっくり挿入し、最下部まで入れる。
【００５０】
このとき、フィルター７の下端は受水器４の底部４１に当接している。フィルター７は、最下部まで入る間に各噴水ノズル３から噴射される洗浄水によって全体が洗浄される。一度の通過でフィルター７が十分に洗浄されていなければ、フィルター７を上下させる操作を必要な回数繰り返して行う。
【００５１】
また、長尺のフィルターを洗浄する場合は、フィルターを最下部まで下ろしても上部側に洗浄できない部分が生じる。この場合は、洗浄空間部２６からフィルターを抜き取り、開口部５３に沿うように上下反転させて洗浄空間部２６に再度挿入し、同様に上下させて洗浄する。
【００５２】
前記フィルター７の洗浄は、洗浄器具２の側壁２２、２３、２４、２５で囲まれた洗浄空間部２６内で行われるので、洗浄水の飛沫は洗浄器具２の外部へ飛散することはない。なお、飛沫は、各噴水ノズル３による洗浄水の噴射方向が斜め下方であることによって、挿入口２７側へは飛散しにくいので挿入口２７から外部へ出ることも防止できる。これにより、洗浄水に塵埃が混じった飛沫によって作業場所の周囲（近辺）を汚すことを防止できる。
【００５３】
また、フィルター７を洗浄し塵埃が混じった廃水は受水器４に入り、排水管４０からホース４２を通り廃水容器６に入る。廃水容器６内の廃水は、廃棄に支障のない下水等に流すようにする。可搬式フィルター洗浄装置Ａによれば、このようにして、多数のフィルター７を順次洗浄することができる。
【００５４】
洗浄後のフィルター７は、水切り受具５５に前記したように載置して水切りを行うようにする。これにより、水切りをするためにフィルター７を屋外へ持ち出す手間がかからず、効率的な作業ができる。また、フィルター７を持ち出す際に落ちる滴で周囲を汚すこともない。
【００５５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５６】
【図１】本発明に係る可搬式フィルター洗浄装置の一実施例を示す斜視図、
【図２】可搬式フィルター洗浄装置の内部構造を示しカバーを想像線で表した斜視説明図。
【図３】可搬式フィルター洗浄装置の内部構造を示す斜視説明図。
【図４】可搬式フィルター洗浄装置の縦断面説明図。
【図５】可搬式フィルター洗浄装置の横断面説明図。
【図６】噴水ノズルによる洗浄水の噴水形状を示し（ａ）は正面視説明図、（ｂ）は平面視説明図。
【図７】可搬式フィルター洗浄装置の使用方法を示す説明図。
【符号の説明】
【００５７】
Ａ  可搬式フィルター洗浄装置
１  フレーム
１０  台枠
１１、１２  脚部
１３  キャスター
１４、１５  支柱部
１６  上枠
１６０  長部材
１７  ハンドル
２  洗浄器具
２０、２１  器枠
２２、２３  側壁
２４、２５  側壁
２６  洗浄空間部
２７  挿入口
３  噴水ノズル
３０  通水管
３１  締付固定具
３１０  受板
３１１  Ｕボルト
３１２  ナット
３２  給水管
３３  接続端具
３４  送水ホース
３５  接続端具
３００  噴水
４  受水器
４０  排水管
４１  底部
４２  ホース
５  カバー
５０  取付用ボルト
５１、５２  上蓋
５３  開口部
５４  前壁
５５  水切り受具
５５０  底部
５５１  前板
５６  導水管
６  廃水容器
６０  入れ口
７  フィルター
【図１】
2009291767.tif 000003
【図７】
2009291767.tif 000004
【図２】
2009291767.tif 000005
【図３】
2009291767.tif 000006
【図４】
2009291767.tif 000007
【図５】
2009291767.tif 000008
【図６】
2009291767.tif 000009